【手続補正書】
【提出日】令和3年5月28日(2021.5.28)
【手続補正１】
【補正対象書類名】特許請求の範囲
【補正対象項目名】全文
【補正方法】変更
【補正の内容】
【特許請求の範囲】
【請求項１】
少なくとも１つのレンズ（６）またはレンズ群を有する光学系（４）の画像品質を検出する装置（２）であって、
前記光学系（４）の撮像視野内の複数のフィールド点における変調伝達関数を測定するＭＴＦ測定装置（１０）であって、複数のオフアクシスＭＴＦ測定を行うように構成されるＭＴＦ測定装置（１０ａ、１０ｂ）と、
オンアクシスに配置される前記光学系（４）の中心調整した状態を測定するためのセンタリング測定装置（１８）と、を備える、装置（２）。
【請求項２】
少なくとも１つの前記レンズ（６）または前記レンズ群を能動的に中心調整するセンタリング装置をさらに備える、請求項１に記載の装置（２）。
【請求項３】
前記センタリング測定装置（１８）は、前記光学系（４）の少なくとも１つの光学面の曲率中心を反射において測定するように構成されたオートコリメータ（２０）を備え、
ａ）回転可能なシートもまた備えられ、該回転可能なシートにより前記光学系（４）は、センタリング軸（Ａ）周りで回転可能であり、かつ／または
ｂ）前記オートコリメータ（２０）が、ホルダ内に回転可能に設置され、前記オートコリメータ（２０）は、全体としてセンタリング軸（Ａ）周りで回転可能であり、かつ／または
ｃ）前記オートコリメータ（２０）は、焦点をシフトさせることができる焦点調節光学系（２２）を備え、かつ／または
ｄ）前記オートコリメータ（２０）は、焦点調節光学系（２２）を備え、この焦点調節光学系（２２）、または焦点調節光学系（２２）の各部は、センタリング軸（Ａ）周りで回転可能であり、かつ／または
ｅ）前記オートコリメータ（２０）と前記光学系（４）との間のビーム経路内に反転反射プリズムが配置され、このプリズムは、センタリング軸（Ａ）周りで回転可能であり、かつ／または
ｆ）前記オートコリメータ（２０）は、前記光学系（４）の複数の光学面の前記曲率中心を同時に測定するように構成される、請求項１または２に記載の装置（２）。
【請求項４】
画像センサ（２６）が、前記光学系（４）の画像平面（Ｂ）内に配置され、
前記画像センサ（２６）を読み出すように構成される処理ユニット（２８）が、備えられ、
前記ＭＴＦ測定装置（１０ａ、１０ｂ）は、少なくとも１つのグラチクル（１４ａ、１４ｂ）を備え、その各々にテスト・パターン（１２）が、存在し、
前記光学系（４）は、少なくとも１つの前記テスト・パターン（１２）を前記画像センサ（２６）上に結像させ、
前記処理ユニット（２８）は、前記変調伝達関数を決定するために前記光学系（４）の前記画像センサ（２６）からの関連する画像データを評価するように構成される、請求項１から３の一項に記載の装置（２）。
【請求項５】
テスト・パターン（１２）が配置されたグラチクル（１４）が、前記光学系（４）の画像平面（Ｂ）内に配置され、
前記光学系（４）は、前記テスト・パターン（１２）を結像し、前記ＭＴＦ測定装置（１０）は、前記光学系（４）の前記変調伝達関数を測定するために前記テスト・パターン（１２）の画像を評価するように構成される、請求項１または２に記載の装置（２）。
【請求項６】
前記グラチクル（１４）は、前記光学系（４）の前記画像平面（Ｂ）内に点光源を構成するピンホール開口（３０）を備え、
前記センタリング測定装置（１８）は、前記光学系（４）からの前記点光源の画像の波面を検出するように構成される波面センサ（３２）を備える、請求項５に記載の装置（２）。
【請求項７】
前記センタリング測定装置（１８）は、画像センサを備え、前記光学系（４）は、前記テスト・パターン（１２）を前記画像センサ上に直接結像し、前記センタリング測定装置（１８）は、前記テスト・パターン（１２）の前記画像を使用して前記光学系（４）の中心調整した状態を評価するように構成され、
前記光学系（４）をセンタリング軸（Ａ）の周りで回転させるように構成される、回転可能な追加のシートが、備えられる、請求項５に記載の装置（２）。
【請求項８】
前記画像センサまたは前記グラチクル（１４）は、前記光学系（４）の光学軸に沿って移動可能に設置される、請求項７に記載の装置（２）。
【請求項９】
前記センタリング測定装置（１８）は、第１のステップにおいて、前記光学系（４）の第１の光学素子（３６）の第１の中心調整した状態を測定し、この第１の中心調整した状態についてのデータに基づいて前記第１の光学素子（３６）を能動的に中心調整するように構成され、
前記センタリング測定装置（１８）はさらに、次いで前記光学系（４）の第２の光学素子（４０）の第２の中心調整した状態を測定し、次いで前記第１の中心調整した状態についての前記データおよび／または前記第２の中心調整した状態についてのデータに基づいて、前記第１および第２の光学素子（３６、４０）を互いに対して能動的に中心調整するように構成され、
さらに、前記第２の光学素子（４０）の機械送りをさらに備え、前記第１の光学素子（３６）の前記中心調整した状態の検出後に、前記機械送りにより前記第２の光学素子（４０）は、前記光学系（４）に追加される、請求項２から８の一項に記載の装置（２）。
【請求項１０】
請求項１から８の一項に記載の装置（２）を用いて少なくとも１つのレンズ（６）またはレンズ群を備える光学系（４）の結像品質を検出する方法であって、
前記センタリング測定装置（１８）により前記光学系（４）の中心調整した状態が決定され、
前記中心調整した状態についてのデータに基づいて前記光学系（４）が中心調整され、次いで
前記ＭＴＦ測定装置（１０）により、前記光学系（４）の視野内の複数のフィールド点において、前記光学系（４）の変調伝達関数が実行される、方法。
【請求項１１】
第１のステップにおいて、前記光学系（４）の第１の光学素子（３６）の第１の中心調整した状態が、前記センタリング測定装置（１８）を用いて測定され、前記第１の光学素子（３６）は、前記第１の中心調整した状態についてのデータに基づいて中心調整され、次いで前記光学系（４）の第２の光学素子（４０）の第２の中心調整した状態が、前記センタリング測定装置（１８）を用いて測定され、次いで前記第１の中心調整した状態についての前記データおよび／または前記第２の中心調整した状態についてのデータに基づいて、前記第１および第２の光学素子（３６、４０）は、互いに対して中心調整され、
さらに前記第２の光学素子（４０）は、前記第１の光学素子（３６）の前記中心調整した状態の検出後に前記光学系（４）に追加される、請求項１０に記載の方法。
【請求項１２】
前記光学系（４）の画像平面（Ｂ）の傾きが、前記光学系（４）の複数のフィールド点において前記ＭＴＦ測定装置（１０）を用いて確認された前記変調伝達関数のデータに基づいて決定され、
前記光学系（４）は、前記画像平面（Ｂ）が、センタリング軸（Ａ）に少なくとも略垂直に配向するように、前記光学系（４）の前記画像平面（Ｂ）の前記傾きについてのデータに基づいて位置合わせされ、
前記光学系（４）の少なくとも１つの中心調整した状態が、次いで前記センタリング測定装置（１８）を用いて再び測定され、前記光学系（４）は、前記光学系（４）の少なくとも１つの中心調整した状態についてのデータに基づいて中心調整される、請求項１０または１１に記載の方法。
【請求項１３】
センタリング・プロセスの後に、
（ｉ）前記光学系（４）の変調伝達関数が、前記ＭＴＦ測定装置（１０）を用いて決定され、
（ｉｉ）次いで光学素子の位置が変えられ、次いで前記光学系（４）の変調伝達関数が、前記ＭＴＦ測定装置（１０）を用いて再び決定され、
前記（ｉ）のステップおよび前記（ｉｉ）のステップは、前記変調伝達関数が、極大値を呈するまで、反復して繰り返される、請求項１０から１２の一項に記載の方法。
【手続補正２】
【補正対象書類名】明細書
【補正対象項目名】０００４
【補正方法】変更
【補正の内容】
【０００４】
特許文献２から、マルチレンズ光学系の光学面の曲率中心の位置を測定する方法が知られている。光角測定デバイスを用いて、光学面の面法線と回転軸との間の角度、またはオフセットが、１つの測定点で検出される。次いで、角度測定デバイスをこの回転軸の周りで回転させ、角度測定を繰り返す。
しかしながら、光学系のセンタリングは、光学系の品質を特徴付ける１つの特徴にすぎない。特に、大量生産のためには、それを用いてレンズまたはレンズ群のセンタリングを検査または検出することができ、光学系の結像性能をさらに特徴付けることができる光学系が望ましい。
【手続補正３】
【補正対象書類名】明細書
【補正対象項目名】００１９
【補正方法】変更
【補正の内容】
【００１９】
ｂ）オートコリメータは、回転可能に設計されている。例えば、オートコリメータは、全体としてその対称軸の周りで回転可能にホルダ内に設置される。
【手続補正４】
【補正対象書類名】明細書
【補正対象項目名】００２３
【補正方法】変更
【補正の内容】
【００２３】
ｄ）オートコリメータは、焦点調節光学系を備え、この焦点調節光学系、またはその各部は、そのセンタリング軸の周りで回転可能である。